(57)【要約】【課題】簡単な構成でありながら種々の条件において画像の濃度むらを抑制する。【解決手段】複数のＬＥＤ素子毎に、画像の濃度むらが生じる複数種類の条件（例えば、画像の階調幅）と当該濃度むらを補正するための補正値とを各々対応付けた複数種類の補正値テーブルを記憶部（ＲＡＭ５２）に記憶する。ＣＰＵ５０の選択部は、画像形成時における前記条件（画素の濃度値）に基づいて記憶部に記憶されている複数種類の補正値テーブルのうちから適切な補正値テーブルを選択する。故に、従来例のように補正値を演算する演算回路が不要であるから構成が簡単であり、しかも、種々の条件に対応した複数種類の補正値テーブルのうちから適正な補正値テーブルを選択することにより、種々の条件において画像の濃度むらを抑制することができる。【選択図】図１
2009066832.tif 000002
【特許請求の範囲】
【請求項１】
複数の発光ダイオード素子が列設されてなる発光ダイオードアレイを光源とする露光手段と、露光手段で露光されることにより形成される静電潜像を担持する像担持体と、像担持体が担持する静電潜像を現像剤により現像して可視化する現像手段と、可視化された現像剤像を転写体に転写する転写手段と、画像形成要求に応じて、少なくとも露光手段、現像手段、転写手段を制御して画像形成プロセスを実行する制御手段とを備えた画像形成装置において、
制御手段は、複数の発光ダイオード素子毎に、前記静電潜像の濃度むらが生じる複数種類の条件と当該濃度むらを補正するための補正値とを各々対応付けた複数種類の補正値テーブルを記憶する記憶部と、画像形成時における前記条件に基づいて記憶部に記憶されている複数種類の補正値テーブルのうちから適切な補正値テーブルを選択する選択部と、選択部で選択された当該補正値テーブルを参照して各発光ダイオード素子毎の補正値を露光手段に指示する補正値指示部とを具備し、
露光手段は、補正値指示部から指示された補正値に応じて各発光ダイオード素子の光量を調整することを特徴とする画像形成装置。
【請求項２】
前記条件は画像形成要求に含まれる画像の階調幅であって、全階調範囲を複数段階に分割した各段階毎に設定された前記複数種類の補正値テーブルを記憶部に記憶することを特徴とする請求項１記載の画像形成装置。
【請求項３】
前記条件は画像形成要求に含まれる画像の階調であって、任意の画素に対する近傍画素の階調の和を複数段階に分割した各段階毎に設定された前記複数種類の補正値テーブルを記憶部に記憶することを特徴とする請求項１記載の画像形成装置。
【請求項４】
露光手段、像担持体、現像手段、転写手段、制御手段の各手段を収納する筐体を備え、前記条件は当該筐体の内部環境であることを特徴とする請求項１記載の画像形成装置。
【請求項５】
露光手段、像担持体、現像手段、転写手段、制御手段の各手段を収納する筐体を備え、前記条件は当該筐体の外部環境であることを特徴とする請求項１記載の画像形成装置。
【請求項６】
露光手段の温度を検出する温度検出手段を備え、前記条件は露光手段の温度であり、選択部は温度検出手段で検出する画像形成時の温度に応じて補正値テーブルを選択することを特徴とする請求項１記載の画像形成装置。
【請求項７】
前記条件は像担持体の製造元であり、選択部は画像形成時の像担持体の製造元に応じて補正値テーブルを選択することを特徴とする請求項１記載の画像形成装置。
【請求項８】
前記条件は像担持体の種類であり、選択部は画像形成時の像担持体の種類に応じて補正値テーブルを選択することを特徴とする請求項１記載の画像形成装置。
【請求項９】
前記条件は像担持体の製造ロットであり、選択部は画像形成時の像担持体の製造ロットに応じて補正値テーブルを選択することを特徴とする請求項１記載の画像形成装置。
【請求項１０】
前記条件は像担持体の使用度合いであり、選択部は画像形成時の像担持体の使用度合いに応じて補正値テーブルを選択することを特徴とする請求項１記載の画像形成装置。
【請求項１１】
前記条件は発光ダイオード素子毎の劣化度であり、選択部は画像形成時の各発光ダイオード素子の劣化度に応じて補正値テーブルを選択することを特徴とする請求項１記載の画像形成装置。
【請求項１２】
複数の発光ダイオード素子毎に、前記静電潜像の濃度むらが生じる複数種類の条件と当該濃度むらを補正するための補正値とを各々対応付けた複数種類の補正値テーブルを記憶する第２の記憶部を露光手段に具備し、当該第２の記憶部から制御手段が具備する記憶部へ複数種類の補正値テーブルを転送することを特徴とする請求項１記載の画像形成装置。
【請求項１３】
前記条件の上限及び下限を第２の記憶部に記憶し、選択部は、当該上限及び下限を考慮して補正値テーブルを選択することを特徴とする請求項１記載の画像形成装置。
【請求項１４】
前記条件の上限及び下限を制御手段の記憶部に記憶し、選択部は、当該上限及び下限を考慮して補正値テーブルを選択することを特徴とする請求項１記載の画像形成装置。
【請求項１５】
請求項１〜１４の何れかに記載の画像形成装置に用いる画像形成プログラムであって、コンピュータに、画像形成時における前記条件に基づいて記憶部に記憶されている複数種類の補正値テーブルのうちから適切な補正値テーブルを選択する処理と、選択された当該補正値テーブルを参照して各発光ダイオード素子毎の補正値を露光手段に指示する処理とを行わせることを特徴とする画像形成プログラム。
【発明の詳細な説明】
【技術分野】
【０００１】
本発明は、電子写真方式の画像形成装置並びに画像形成プログラムに関し、特に、複数の発光ダイオード素子が列設されてなる発光ダイオードアレイを露光手段の光源とする画像形成装置並びに画像形成プログラムに関するものである。
【背景技術】
【０００２】
従来、電子写真方式の画像形成装置においては、帯電された像担持体（感光体）を露光する露光器としてレーザダイオードから発する光をポリゴンミラーを用いて走査するタイプ（以下、「レーザビームタイプ」と呼ぶ。）のものと、複数の発光ダイオード素子が列設されてなる発光ダイオードアレイを用いるタイプ（以下、「ＬＥＤアレイタイプ」と呼ぶ。）のものとが主に提供されている。
【０００３】
ＬＥＤアレイタイプの露光器を用いる画像形成装置では、複数の発光ダイオード素子（以下、ＬＥＤ素子と略す。）の発光特性が全て均一となるように発光ダイオードアレイを製造することはできないため、各ＬＥＤ素子に等量の電流を流しても各々のＬＥＤ素子毎に光量が異なることでＬＥＤアレイによる露光量にばらつきが生じてしまい、その結果、形成された画像に濃度むらが生じてしまうことになる。
【０００４】
そのため、ＬＥＤアレイを構成する複数のＬＥＤ素子毎の発光特性のばらつきを補正するようにした画像形成装置が種々提案されている（例えば、特許文献１〜３参照）。例えば特許文献１に記載されている従来例では、ＬＥＤアレイ毎に予め測定されたパラメータから各ＬＥＤ素子毎の補正値を演算によって求めている。また、特許文献３に記載されている従来例では、選別によって光量が統一された複数のＬＥＤ素子を含むブロックが複数設けられてなるＬＥＤアレイと、各ブロック毎の補正値を記憶した補正値テーブルとを備え、補正値テーブルから読み出した補正値で各ブロックのＬＥＤ素子に流す電流を調整することにより濃度むらを補正している。
【特許文献１】特開２００４−１８８８４６号公報
【特許文献２】特開２００４−１８８８４９号公報
【特許文献３】特許第２８４９２４４号公報
【発明の開示】
【発明が解決しようとする課題】
【０００５】
しかしながら、上記前者の従来例ではパラメータから補正値を演算するための演算回路が必要であるから構成が複雑且つ大規模になってしまう。また、上記後者の従来例では補正値テーブルが１種類しかないために補正可能な条件が限定されてしまうという問題がある。
【０００６】
本発明は上記事情に鑑みて為されたものであり、その目的は、簡単な構成でありながら種々の条件において画像の濃度むらを抑制することができる画像形成装置並びに画像形成用プログラムを提供することにある。
【課題を解決するための手段】
【０００７】
請求項１の発明は、上記目的を達成するために、複数の発光ダイオード素子が列設されてなる発光ダイオードアレイを光源とする露光手段と、露光手段で露光されることにより形成される静電潜像を担持する像担持体と、像担持体が担持する静電潜像を現像剤により現像して可視化する現像手段と、可視化された現像剤像を転写体に転写する転写手段と、画像形成要求に応じて、少なくとも露光手段、現像手段、転写手段を制御して画像形成プロセスを実行する制御手段とを備えた画像形成装置において、制御手段は、複数の発光ダイオード素子毎に、前記静電潜像の濃度むらが生じる複数種類の条件と当該濃度むらを補正するための補正値とを各々対応付けた複数種類の補正値テーブルを記憶する記憶部と、画像形成時における前記条件に基づいて記憶部に記憶されている複数種類の補正値テーブルのうちから適切な補正値テーブルを選択する選択部と、選択部で選択された当該補正値テーブルを参照して各発光ダイオード素子毎の補正値を露光手段に指示する補正値指示部とを具備し、露光手段は、補正値指示部から指示された補正値に応じて各発光ダイオード素子の光量を調整することを特徴とする。
【０００８】
請求項２の発明は、請求項１の発明において、前記条件は画像形成要求に含まれる画像の階調幅であって、全階調範囲を複数段階に分割した各段階毎に設定された前記複数種類の補正値テーブルを記憶部に記憶することを特徴とする。
【０００９】
請求項３の発明は、請求項１の発明において、前記条件は画像形成要求に含まれる画像の階調であって、任意の画素に対する近傍画素の階調の和を複数段階に分割した各段階毎に設定された前記複数種類の補正値テーブルを記憶部に記憶することを特徴とする。
【００１０】
請求項４の発明は、請求項１の発明において、露光手段、像担持体、現像手段、転写手段、制御手段の各手段を収納する筐体を備え、前記条件は当該筐体の内部環境であることを特徴とする。
【００１１】
請求項５の発明は、請求項１の発明において、露光手段、像担持体、現像手段、転写手段、制御手段の各手段を収納する筐体を備え、前記条件は当該筐体の外部環境であることを特徴とする。
【００１２】
請求項６の発明は、請求項１の発明において、露光手段の温度を検出する温度検出手段を備え、前記条件は露光手段の温度であり、選択部は温度検出手段で検出する画像形成時の温度に応じて補正値テーブルを選択することを特徴とする。
【００１３】
請求項７の発明は、請求項１の発明において、前記条件は像担持体の製造元であり、選択部は画像形成時の像担持体の製造元に応じて補正値テーブルを選択することを特徴とする。
【００１４】
請求項８の発明は、請求項１の発明において、前記条件は像担持体の種類であり、選択部は画像形成時の像担持体の種類に応じて補正値テーブルを選択することを特徴とする。
【００１５】
請求項９の発明は、請求項１の発明において、前記条件は像担持体の製造ロットであり、選択部は画像形成時の像担持体の製造ロットに応じて補正値テーブルを選択することを特徴とする。
【００１６】
請求項１０の発明は、請求項１の発明において、前記条件は像担持体の使用度合いであり、選択部は画像形成時の像担持体の使用度合いに応じて補正値テーブルを選択することを特徴とする。
【００１７】
請求項１１の発明は、請求項１の発明において、前記条件は発光ダイオード素子毎の劣化度であり、選択部は画像形成時の各発光ダイオード素子の劣化度に応じて補正値テーブルを選択することを特徴とする。
【００１８】
請求項１２の発明は、請求項１の発明において、複数の発光ダイオード素子毎に、前記静電潜像の濃度むらが生じる複数種類の条件と当該濃度むらを補正するための補正値とを各々対応付けた複数種類の補正値テーブルを記憶する第２の記憶部を露光手段に具備し、当該第２の記憶部から制御手段が具備する記憶部へ複数種類の補正値テーブルを転送することを特徴とする。
【００１９】
請求項１３の発明は、請求項１の発明において、前記条件の上限及び下限を第２の記憶部に記憶し、選択部は、当該上限及び下限を考慮して補正値テーブルを選択することを特徴とする。
【００２０】
請求項１４の発明は、請求項１の発明において、前記条件の上限及び下限を制御手段の記憶部に記憶し、選択部は、当該上限及び下限を考慮して補正値テーブルを選択することを特徴とする。
【００２１】
請求項１５の発明は、上記目的を達成するために、請求項１〜１４の何れかに記載の画像形成装置に用いる画像形成プログラムであって、コンピュータに、画像形成時における前記条件に基づいて記憶部に記憶されている複数種類の補正値テーブルのうちから適切な補正値テーブルを選択する処理と、選択された当該補正値テーブルを参照して各発光ダイオード素子毎の補正値を露光手段に指示する処理とを行わせることを特徴とする。
【発明の効果】
【００２２】
請求項１，１５の発明によれば、複数の発光ダイオード素子毎に、前記静電潜像の濃度むらが生じる複数種類の条件と当該濃度むらを補正するための補正値とを各々対応付けた複数種類の補正値テーブルを記憶部に記憶するとともに、画像形成時における前記条件に基づいて記憶部に記憶されている複数種類の補正値テーブルのうちから、選択部が適切な補正値テーブルを選択するので、従来例のように補正値を演算する演算回路が不要であるから構成が簡単であり、しかも、種々の条件に対応した複数種類の補正値テーブルのうちから適正な補正値テーブルを選択することにより、種々の条件において画像の濃度むらを抑制することができる。
【００２３】
請求項２の発明によれば、画像の濃度むらは必ずしも低濃度時から高濃度時までリニアに変化するとは限らないから、画像形成要求に含まれる画像の階調幅を条件とし、全階調範囲を複数段階に分割した各段階毎に設定された前記複数種類の補正値テーブルを記憶部に記憶することにより、濃度の高低に関わらずに濃度むらを適切に補正することができる。
【００２４】
請求項３の発明によれば、前記条件が画像形成要求に含まれる画像の階調であって、任意の画素に対する近傍画素の階調の和を複数段階に分割した各段階毎に設定された前記複数種類の補正値テーブルを記憶部に記憶するので、中間調の濃度むらを適切に補正することができる。
【００２５】
請求項４の発明によれば、露光手段、像担持体、現像手段、転写手段、制御手段の各手段を収納する筐体の内部環境を条件とする複数種類の補正値テーブルを記憶部に記憶したので、例えば、筐体内の温度や湿度に応じた適切な補正テーブルを選択して濃度むらを補正することができる。
【００２６】
請求項５の発明によれば、露光手段、像担持体、現像手段、転写手段、制御手段の各手段を収納する筐体の外部環境を条件とした複数種類の補正値テーブルを記憶部に記憶したので、例えば、筐体外の雰囲気温度や湿度に応じた適切な補正テーブルを選択して濃度むらを補正することができる。
【００２７】
請求項６の発明によれば、露光手段の温度を検出する温度検出手段を備え、前記条件は露光手段の温度であり、選択部は温度検出手段で検出する画像形成時の温度に応じて補正値テーブルを選択するので、発光ダイオード素子の温度変動に起因した濃度むらを適切に補正することができる。
【００２８】
請求項７の発明によれば、前記条件は像担持体の製造元であり、選択部は画像形成時の像担持体の製造元に応じて補正値テーブルを選択するので、像担持体の製造元毎に濃度むらを適切に補正することができる。
【００２９】
請求項８の発明によれば、前記条件は像担持体の種類であり、選択部は画像形成時の像担持体の種類に応じて補正値テーブルを選択するので、像担持体の種類毎に濃度むらを適切に補正することができる。
【００３０】
請求項９の発明によれば、前記条件は像担持体の製造ロットであり、選択部は画像形成時の像担持体の製造ロットに応じて補正値テーブルを選択するので、像担持体の製造ロット毎に濃度むらを適切に補正することができる。
【００３１】
請求項１０の発明によれば、前記条件は像担持体の使用度合いであり、選択部は画像形成時の像担持体の使用度合いに応じて補正値テーブルを選択するので、像担持体の使用度合いに応じた濃度むらを適切に補正することができる。
【００３２】
請求項１１の発明によれば、前記条件は発光ダイオード素子毎の劣化度であり、選択部は画像形成時の各発光ダイオード素子の劣化度に応じて補正値テーブルを選択するので、発光ダイオード素子の劣化度に応じた濃度むらを適切に補正することができる。
【００３３】
請求項１２の発明によれば、複数の発光ダイオード素子毎に、前記静電潜像の濃度むらが生じる複数種類の条件と当該濃度むらを補正するための補正値とを各々対応付けた複数種類の補正値テーブルを記憶する第２の記憶部を露光手段に具備し、当該第２の記憶部から制御手段が具備する記憶部へ複数種類の補正値テーブルを転送するので、例えば、露光手段を交換した場合、交換後の新しい露光手段の補正値テーブルが制御手段の記憶部に自動的に転送されるために使い勝手がよくなる。
【００３４】
請求項１３の発明によれば、前記条件の上限及び下限を第２の記憶部に記憶し、選択部は、当該上限及び下限を考慮して補正値テーブルを選択するので、選択の基準となる条件の範囲（上限及び下限）が個々の露光手段毎に記憶されているため、露光手段を交換した時に前記範囲を変更する手間が省ける。
【００３５】
請求項１４の発明は、請求項１の発明において、前記条件の上限及び下限を制御手段の記憶部に記憶し、選択部は、当該上限及び下限を考慮して補正値テーブルを選択するので、選択の基準となる条件の範囲（上限及び下限）を自由に変更することができる。
【発明を実施するための最良の形態】
【００３６】
以下、タンデム型のカラープリンタに本発明の技術思想を適用した実施形態について、それぞれ図面を参照しながら詳細に説明する。但し、本発明の技術思想を適用可能な画像形成装置はタンデム型のカラープリンタに限定されるものではなく、モノクロプリンタや複写機、ファクシミリ等の電子写真方式を採用する画像形成装置全般に本発明の技術思想を適用することができる。
【００３７】
まず、図２を参照しながら各実施形態に共通するカラープリンタの構造を簡単に説明する。このカラープリンタは、筐体１２内の下部に給紙トレイ１３が引き出し可能に装着され、給紙トレイ１３に収納された転写紙Ｐが給紙ローラ１４によって給紙されるようになっている。また、筐体１２内における給紙トレイ１３の上部の手前側には、後述するように感光体ドラム２１や中間転写ベルト１６をクリーニングして生じる廃トナーを収納するための廃トナーボックス１５が着脱可能に装着されており、廃トナーボックス１５の側面には廃トナーの収納量が規定の上限に達したことを検知するための廃トナーフル検知センサ１７が設けられている。
【００３８】
筐体１２内の奥行方向の中央部には、テンションローラ１８と駆動ローラ１９に巻回された無端ベルトからなる中間転写ベルト１６が奥行方向に略水平に張架されており、図示しない駆動モータにより駆動ローラ１９が駆動されて反時計回りに回転することによって、中間転写ベルト１６が矢示方向に回動する。筐体１２内における中間転写ベルト１６の上方には、黒、マゼンタ、シアン、イエローの各色のトナー（現像剤）を使い、周知の画像形成プロセスによって各色のトナー画像（現像剤像）を形成する４つの画像形成ユニット２０Ｋ、２０Ｍ，２０Ｃ，２０Ｙが中間転写ベルト１６の回動方向における上流側から下流側（図２における左向き）に向かって間隔を空けて順番に配置されている。
【００３９】
これら４つの画像形成カートリッジ２０Ｋ，２０Ｍ，２０Ｃ，２０Ｙは、使用するトナーの色が異なるだけで全く同じ構造を有しているから、黒色のトナー用の画像形成カートリッジ２０Ｋの構成についてだけ詳細に説明し、他の色のトナー用の画像形成カートリッジ２０Ｍ，２０Ｃ，２０Ｙの説明は省略する。但し、マゼンタ、シアン、イエローの各色用の画像形成カートリッジ２０Ｍ，２０Ｃ，２０Ｙの各構成要素については、黒色用の画像形成カートリッジ２０Ｋの各構成要素に付した「Ｋ」の符号に代えて、「Ｍ」、「Ｃ」、「Ｙ」の符号を付することによって区別する。
【００４０】
画像形成カートリッジ２０Ｋは、図２において時計回りに回転する感光体ドラム２１Ｋと、その周囲に帯電ローラ２２Ｋ、現像器２３Ｋ、露光器３０Ｋ、クリーナブレード２４１Ｋと廃トナー回収ローラ２４２Ｋを備えたクリーニングユニット２４Ｋ等が一体的に設けられている。現像器２３Ｋは、トナー攪拌用のパドル２３５Ｋを備えたトナータンク２３１Ｋと、トナータンク２３１Ｋの下端部付近に設けられた現像ローラ２３２Ｋ、供給ローラ２３３Ｋ、および現像ブレード２３４Ｋ等からなり、トナータンク２３１Ｋ内の黒色のトナーが、供給ローラ２３３Ｋによって現像ローラ２３２Ｋに供給され、現像ブレード２３４Ｋによって感光体ドラム２１Ｋへ送る量が一定に規制される。
【００４１】
露光器３０Ｋは、複数（例えば、約５千個）のＬＥＤ素子が１乃至複数列に並べて形成されたＬＥＤアレイ（図示せず）をハウジングに収納して構成され、ＬＥＤアレイの発光面が感光体ドラム２１Ｋの外周面（感光体が形成されている面）に対して感光体ドラム２１Ｋの軸方向とＬＥＤ素子の並び方向（露光器３０Ｋの長手方向）を一致させるように配置される。そして、帯電ローラ２２Ｋで一様に帯電された感光体ドラム２１Ｋの外周面に露光器３０ＫのＬＥＤアレイから発する光を照射して露光することにより、感光体ドラム２１Ｋの外周面（感光体表面）に静電潜像が形成される。なお、ＬＥＤ素子の発光制御は後述するように露光器制御部５４Ｋ，５４Ｍ，５４Ｃ，５４Ｙで各ＬＥＤ素子への電流供給を調整することによって行われる。
【００４２】
感光体ドラム２１Ｋの下方には、中間転写ベルト１６を挟んで各感光体ドラム２１Ｋの外周面と対向する形で一次転写ローラ２５Ｋが配設されている。一次転写ローラ２５Ｋは、図示しない回転機構によって回転自在であり且つ図示しない移動機構によって中間転写ベルト１６と接する位置と接しない位置との間で移動自在に設けられている。
【００４３】
また、駆動ローラ１９と中間転写ベルト１６及び転写紙搬送路４１を挟んで対向し、中間転写ベルト１６に当接して回転するように二次転写ローラ３２が設けられ、その中間転写ベルト１６の駆動ローラ１９側端部の上側には転写ベルトクリーナ４０が設けられている。転写紙搬送路４１には、二次転写ローラ３２より上流側にレジストローラ３３とレジストセンサ３４が配設されるとともに、下流側に定着器３５と排紙センサ３６及び排紙ローラ３７が配設されている。４２は転写紙搬送路４１から分岐した両面搬送路であり、両面搬送ローラ３８と両面センサ３９が配設され、転写紙の両面に画像を形成する場合に使用される。
【００４４】
画像形成に際し、まず黒用の画像形成カートリッジ２０Ｋにおける感光体ドラム２１９Ｋの外周面が暗中にて帯電ローラ２２Ｋにより一様に帯電された後、露光器３０Ｋから照射される光により露光されて静電潜像が形成される。この静電潜像を現像器２３Ｋが黒のトナーによって可視像化し、感光体ドラム２１９Ｋの外周面上に黒のトナー画像が形成される。
【００４５】
このトナー画像は、感光体ドラム２１Ｋと中間転写ベルト１６とが接する位置（一次転写位置）で、一次転写ローラ２５Ｋの働きにより中間転写ベルト１６上に転写され、その結果、中間転写ベルト１６上に黒のトナーによる画像が形成される。トナー画像の転写が終了した感光体ドラム２１Ｋは、外周面に残留した不要なトナーがクリーニングユニット２４Ｋのクリーナブレード２４１Ｋにより払拭された後、次の画像形成のために待機する。クリーナブレード２４１Ｋにより払拭されたトナーは廃トナー回収ローラ２４２Ｋによって回収され、図示していないダクトを通して廃トナーボックス１５へ送り込まれる。
【００４６】
このようにして、画像形成カートリッジ２０Ｋで黒のトナー画像が転写された中間転写ベルト１６は、次にマゼンタ用の画像形成カートリッジ２０Ｍの位置に搬送される。マゼンタ用の画像形成カートリッジ２０Ｍでは、上述した黒色用の画像形成カートリッジ２０Ｋによる画像形成プロセスと同様のプロセスにより感光体ドラム２１Ｍの外周面上にマゼンタのトナー画像を形成し、そのトナー画像が一次転写ローラ２５Ｍの働きにより、中間転写ベルト１６上に形成された黒の画像に重ねて転写される。
【００４７】
中間転写ベルト１６は、さらにシアン及びイエロー用の画像形成カートリッジ２０Ｃ、２０Ｙの位置に順次搬送され、同様の動作により、感光体ドラム２１Ｃ上に形成されたシアンのトナー画像と、感光体ドラム２１Ｙ上に形成されたイエローのトナー画像が、中間転写ベルト１６上のトナー画像に順次重ねて転写される。こうして、中間転写ベルト１６上にフルカラーのトナー画像が形成される。このフルカラーのトナー画像が形成された中間転写ベルト１６の領域は、テンションローラ１８を通過して、二次転写ローラ３２に転接する位置まで搬送される。なお、画像形成に際して、黒色のトナーのみの印刷をする場合は、一次転写ローラ２５Ｍ，２５Ｃ，２５Ｙは、それぞれ感光体ドラム２１Ｍ，２１Ｃ，２１Ｙから離れた位置に退避し、前述の画像形成プロセスを黒用の画像形成カートリッジ２０Ｋのみで行い、白黒のトナー画像を作成して中間転写ベルト１６上に転写する。
【００４８】
一方、給紙トレイ１３に収納された転写紙Ｐは、給紙ローラ２が反時計回りに回転することにより最上位の転写紙Ｐから順に送り出され、先端がレジストセンサ３４に検知された後、レジストローラ３に到達する位置で待機する。レジストローラ３の駆動開始は、前述した中間転写ベルト１６上に転写されたトナー画像が、二次転写ローラ３２と接する直前に転写紙Ｐが中間転写ベルト１６と二次転写ローラ３２とのニップ部に挟持されるタイミングで行われ、その転写紙Ｐに中間転写ベルト１６上のトナー画像が転写（二次転写）される。 
【００４９】
中間転写ベルト１６上のトナー画像が転写された転写紙Ｐは、定着器３５に搬送されて転写されたトナー画像が熱と圧力により定着され、矢示方向に回転する排紙ローラ３７によって筐体１２の上面に形成された排紙部１２ａ上に排紙される。トナー画像の二次転写を終了した中間転写ベルト１６は、その表面に残留するトナーが転写ベルトクリーナ４０で除去された後、再び新たなトナー画像を転写するため、画像形成カートリッジ２０Ｋの方へ回動される。
【００５０】
両面印刷を行う場合は転写紙Ｐが排紙ローラ３７を通過する手前で、排紙センサ３６によってその後端の通過が検出されると、排紙ローラ３４の回転を反転して、その転写紙Ｐが両面搬送路４２へ送り込まれる。両面搬送路４２に送り込まれた転写紙Ｐは両面搬送ローラ３８によって搬送され、両面センサ３９によって検出されて、再びレジストローラ３３に先端が到達するまで搬送される。その後、所定のタイミングでレジストローラ３３が始動して、その転写紙Ｐが二次転写ローラ３２による二次転写位置へ再給紙され、転写紙Ｐの前回とは反対側の面にトナー画像が転写され、そのトナー画像が定着器３３において熱および圧力によって転写紙に定着され、その転写紙が排紙ローラ３７によって排紙部１２ａ上に排紙される。
【００５１】
図１は画像形成装置全体の制御を行う制御部ＣＮの構成を示したブロック図である。ＣＰＵ５０は、ＲＯＭ５１に記憶されている画像形成プログラムを実行することにより、上述した画像形成プロセスを実行する。また、ＣＰＵ５０にはＲＯＭ５１やＲＡＭ５２のメモリの他、外部のコンピュータ装置などから受け取った印刷用のイメージデータを処理するイメージデータ処理部５３、各色用の露光器３０Ｋ，３０Ｍ，３０Ｃ，３０Ｙを制御する露光器制御部５４Ｋ，５４Ｍ，５４Ｃ，５４Ｙ、各種の駆動モータを制御する駆動モータ制御部５５、転写紙搬送路４１並びに両面搬送路４２による転写紙Ｐの搬送を制御する紙搬送制御部５６、高圧電源５８から帯電ローラ２２Ｋ，２２Ｍ，２２Ｃ，２２Ｙや定着器３５等への動作用の高電圧の供給を制御する高圧電源制御部５７、レジストセンサ３４や廃トナーフル検知センサ１７等の各種センサの出力を検知するセンサ検知部５９、筐体１２内の雰囲気温度及び湿度を検出する温湿度センサ６０が接続されている。ここで、ＲＯＭ５１には本発明の要旨に関わる複数種類の補正値テーブルが格納されているが、補正値テーブル用の記憶部として書換可能な不揮発性メモリ（ＥＥＰＲＯＭ）やバックアップ電源でバックアップされたスタティックＲＡＭを別途設けても構わない。
【００５２】
イメージデータ処理部では、外部のコンピュータ装置から受け取った印刷用のイメージデータを画像形成に適した形に変換する従来周知の変換処理、例えば、イメージデータにおける画素の順番の並び替え等を行って各露光器制御部５４Ｋ，５４Ｍ，５４Ｃ，５４Ｙに出力する処理を行っている。
【００５３】
ここで、本発明に係る画像形成プログラムをＣＰＵ５０で実行することにより、画像形成時における種々の条件に基づいて記憶部（ＲＯＭ５１）に記憶されている複数種類の補正値テーブルのうちから適切な補正値テーブルを選択する機能と、選択した補正値テーブルを参照して各ＬＥＤ素子毎の補正値を露光器制御部５４Ｋ，５４Ｍ，５４Ｃ，５４Ｙに指示する機能、すなわち、請求項に記載した発明特定事項である「選択部」及び「補正値指示部」を実現している。従って、以下では「選択部」並びに「補正値指示部」を上記各機能の主体として説明する。
【００５４】
（実施形態１）
本実施形態は、濃度むらが生じる条件としてイメージデータの各画素の階調を用いる点に特徴がある。すなわち、外部から受け取るイメージデータの各画素の濃度が８ビットで量子化されているとすれば、０〜２５５の２５６段階の階調を有していることになるが、画像の濃度むらは必ずしも低濃度時から高濃度時までリニアに変化するとは限らない。
【００５５】
そこで本実施形態では、２５６段階の階調を３つの範囲、例えば、濃度値が０〜８５の範囲（低濃度範囲）と、濃度値が８６〜１７１の範囲（中間濃度範囲）と、濃度値が１７２〜２５５の範囲（高濃度範囲）とに分割し、それぞれの範囲においてＬＥＤアレイを構成する各ＬＥＤ素子毎の補正値を予め求めて３種類の補正値テーブルを作成するとともに、作成した３種類の補正値テーブル（第１の補正値テーブル、第２の補正値テーブル、第３の補正値テーブル）を記憶部（ＲＯＭ５１）に記憶している。ここで、一つのＬＥＤ素子から照射される光でイメージデータにおける１画素分の画像が形成されるから、個々のＬＥＤ素子毎の発光量を調整することで各ＬＥＤ素子に対応する画素の濃度を増減することができる。
【００５６】
図３（ａ）（ｂ）に補正値テーブルの具体例を示す。図示例ではＬＥＤアレイを構成するＬＥＤ素子の個数（１ラインの画素数）が４９９２個であり、それぞれの画素（ＬＥＤ素子）毎に１〜４９９２の番号が割り振られている。各番号に対応する補正値データは４ビットで構成されており、各ビット例には、図３（ｃ）に示すように１６通りの補正値が割り当てられている。図示例では、各ビット列に-4.0〜+4.5まで0.5刻みの補正割合（％）が補正値として割り当てられている。この補正割合とは、例えば、２５６階調を１００％としたときの濃度値の割合である。
【００５７】
次に、図４のフローチャートを参照しながら本実施形態の動作を説明する。但し、本実施形態では黒のトナーのみを使用して画像を形成するモノクロ印刷の場合について説明するが、黒以外のマゼンタ、シアン、イエローのトナーも使用して画像を形成するカラー印刷の場合も同様の処理であるから説明を省略する。
【００５８】
制御部ＣＮは外部から印刷起動のトリガがかかるまで待機しており（Ｓ１）、印刷起動がかかって外部からイメージデータ処理部５３を介してＣＰＵ５０のＩ／Ｏ部にイメージデータが入力されると、ＣＰＵ５０が入力されたイメージデータをＲＡＭ５２内のバッファに転送する（Ｓ２）。続いて、ＣＰＵ５０はイメージデータの１ライン（ＬＥＤアレイによって同時に露光される画素列）に対応する変数ｍをゼロに初期化するとともに（Ｓ３）、１ラインにおける画素数（ＬＥＤアレイにおいて同時に発光するＬＥＤ素子の個数）に対応する変数ｎをゼロに初期化する（Ｓ４）。
【００５９】
ＣＰＵ５０の選択部は、イメージデータの第ｍ番目のラインにおける第ｎ番目のビット（画素）の濃度値が３つの範囲（低濃度範囲、中間濃度範囲、高濃度範囲）の何れに属するかの判定を行い（Ｓ５，Ｓ６）、その判定結果に基づいて最も適切な補正値テーブルを選択する。そして、ＣＰＵ５０の補正値指示部が、選択部によって選択された補正値テーブルにおける第ｎ番目のビットの濃度値に対応した補正値データをＲＡＭ５２にプログラム転送する（Ｓ７又はＳ８又はＳ９）。ＲＡＭ５２のバッファに格納されている第ｎ番目のビットのイメージデータ（濃度値）と補正値テーブルから転送された補正値データをＤＭＡ転送によりＣＰＵ５０のＩ／Ｏ部に転送し、さらに補正値指示部が、ＣＰＵ５０で生成したクロックやイネーブル信号等からなる種々の補正値データ送出信号とイメージデータ送出信号を用いてＩ／Ｏ部から露光器制御部５４Ｋへ当該補正値データとイメージデータを送出する（Ｓ１０）。その後、ＣＰＵ５０は変数ｎをインクリメントし（Ｓ１１）、変数ｎが１ラインにおける画素数に達するまでＳ５〜Ｓ１１までの処理を繰り返し、変数ｎが１ラインにおける画素数に達したら（Ｓ１２）、変数ｍをインクリメントし（Ｓ１３）、変数ｍがイメージデータの総ライン数に達するまでＳ４〜Ｓ１３までの処理を繰り返し、変数ｍがイメージデータの総ライン数に達したら（Ｓ１４）、処理を終了する。
【００６０】
そして、ＣＰＵ５０の補正値指示部から指示された補正値データとイメージデータに基づき、露光器制御部５４Ｋが露光器３０Ｋを制御することにより、該当するＬＥＤ素子への電流供給を調整することによって発光量のばらつきを補正し、その結果、画像の濃度むらを抑制することができる。
【００６１】
上述のように本実施形態によれば、複数のＬＥＤ素子毎に、画像（静電潜像）の濃度むらが生じる複数種類の条件（例えば、画像の階調幅）と当該濃度むらを補正するための補正値とを各々対応付けた複数種類の補正値テーブルを記憶部（ＲＯＭ５１）に記憶するとともに、画像形成時における前記条件（画素の濃度値）に基づいて記憶部に記憶されている複数種類の補正値テーブルのうちから、選択部が適切な補正値テーブルを選択するので、従来例のように補正値を演算する演算回路が不要であるから構成が簡単であり、しかも、種々の条件に対応した複数種類の補正値テーブルのうちから適正な補正値テーブルを選択することにより、種々の条件において画像の濃度むらを抑制することができる。しかも、画像の濃度むらは必ずしも低濃度時から高濃度時までリニアに変化するとは限らないから、本実施形態のように画像形成要求（イメージデータ）に含まれる画像の階調幅を条件とし、全階調範囲を複数段階に分割した各段階毎に設定された前記複数種類の補正値テーブルを記憶部に記憶することにより、濃度値の高低に関わらずに濃度むらを適切に補正することができる。なお、本実施形態では選択部や補正値指示部をＣＰＵ５０に画像形成プログラムを実行させることで実現しているが、選択部や補正値指示部を専用のハードウェアで構成しても構わない。
【００６２】
（実施形態２）
ところで、実施形態１では各画素の濃度値のみに基づいて補正値テーブルを選択しているが、本実施形態では、中間の濃度値における階調再現性を向上するために、任意の画素に対する近傍画素の階調の総和を複数段階に分割し、各段階毎に設定した複数種類の補正値テーブルのうちから最適な補正値テーブルを選択する点に特徴がある。
【００６３】
具体的には、図５に示すように注目画素Ａの８近傍の画素についてその濃度値の総和を演算したとき、当該総和が取り得る全範囲（０〜２０４０）を３つの範囲、例えば、濃度値の総和が０〜６８０の範囲と、濃度値の総和が６８１〜１３５９の範囲と、濃度値の総和が１３６０〜２０４０の範囲とに分割し、それぞれの範囲においてＬＥＤアレイを構成する各ＬＥＤ素子毎の補正値を予め求めて３種類の補正値テーブルを作成するとともに、作成した３種類の補正値テーブル（第１の補正値テーブル、第２の補正値テーブル、第３の補正値テーブル）を記憶部（ＲＯＭ５１）に記憶している。
【００６４】
そして、ＣＰＵ５０の選択部が、イメージデータの各画素についてその８近傍の画素の濃度値の総和を演算し、当該総和が上記３つの範囲の何れに属するかを判定することで最も適切な補正値テーブルを選択する。さらに、ＣＰＵ５０の補正値指示部が、選択部で選択した補正値テーブルを参照して決定した補正値データとイメージデータ（注目画素Ａの濃度値）を露光器制御部３０Ｋに送出（指示）することで画像の濃度むらを抑制し、中間の濃度値における階調再現性を向上することができる。
【００６５】
尚、本実施形態では任意画素に対する８近傍の画素の濃度の総和を用いて演算する例を説明したが、例えば、上下左右の画素の和や両隣の画素の和を用いてもよい。
【００６６】
（実施形態３）
本実施形態は、筐体１２の内部若しくは外部の少なくとも一方に設置された温湿度センサ６０で検出する温度及び湿度に基づいて複数種類の補正値テーブルのうちから最も適切な補正値テーブルを選択する点に特徴がある。
【００６７】
補正値テーブルは、例えば、筐体１２の内部若しくは外部の温度が３０度以上又は湿度が８０％以上である場合に適正となる補正値のテーブル（第１の補正値テーブル）、筐体１２の内部若しくは外部の温度が５度以下又は湿度が１０％以下である場合に適正となる補正値のテーブル（第２の補正値テーブル）、筐体１２の内部若しくは外部の温度が５度より高く且つ３０度未満の範囲又は湿度が１０％より高く且つ８０％未満の範囲である場合に適正となる補正値のテーブル（第３の補正値テーブル）の３種類のものが記憶部（ＲＯＭ５１）に記憶されている。
【００６８】
そして、ＣＰＵ５０の選択部が、実際に印刷（画像形成）を行う際に温湿度センサ６０で検出した筐体１２の内部又は外部の温度及び湿度の値に基づいて最も適切な補正値テーブルを選択し、選択部によって選択された補正値テーブルを参照して、ＣＰＵ５０の補正値指示部が補正値データを決定し、決定した補正値データとイメージデータを露光器制御部３０Ｋに送出（指示）するので、筐体１２の内部又は外部の温湿度環境の変化に対応して画像の濃度むらを抑制することができる。
【００６９】
（実施形態４）
本実施形態は、露光器３０Ｋ，３０Ｍ，３０Ｃ，３０ＹのＬＥＤアレイに設置された温湿度センサで検出する温度及び湿度に基づいて複数種類の補正値テーブルのうちから最も適切な補正値テーブルを選択する点に特徴がある。
【００７０】
補正値テーブルは、例えば、ＬＥＤアレイの温度が８０度以上又は湿度が８０％以上である場合に適正となる補正値のテーブル（第１の補正値テーブル）、ＬＥＤアレイの温度が２０度以下又は湿度が１０％以下である場合に適正となる補正値のテーブル（第２の補正値テーブル）、ＬＥＤアレイの温度が２０度より高く且つ８０度未満の範囲又は湿度が１０％より高く且つ８０％未満の範囲である場合に適正となる補正値のテーブル（第３の補正値テーブル）の３種類のものが記憶部（ＲＯＭ５１）に記憶されている。
【００７１】
そして、ＣＰＵ５０の選択部が、実際に印刷（画像形成）を行う際に温湿度センサで検出したＬＥＤアレイの温度及び湿度の値に基づいて最も適切な補正値テーブルを選択し、選択部によって選択された補正値テーブルを参照して、ＣＰＵ５０の補正値指示部が補正値データを決定し、決定した補正値データとイメージデータを露光器制御部３０Ｋに送出（指示）するので、ＬＥＤアレイ（露光器３０Ｋ，３０Ｍ，３０Ｃ，３０Ｙ）の温湿度環境の変化に対応して画像の濃度むらを抑制することができる。
【００７２】
（実施形態５）
本実施形態は、感光体ドラムに関する条件（製造会社、感光体を形成する素材、同一の製造会社で製造された感光体の製造ロット）に基づいて複数種類の補正値テーブルのうちから最も適切な補正値テーブルを選択する点に特徴がある。
【００７３】
例えば、感光体ドラム２１Ｋ，２１Ｍ，２１Ｃ，２１ＹがＡ社，Ｂ社，Ｃ社の何れかで製造されたものであるとしたとき、Ａ社製の感光体ドラムを使用している場合に適正となる補正値のテーブル（第１の補正値テーブル）、Ｂ社製の感光体ドラムを使用している場合に適正となる補正値のテーブル（第２の補正値テーブル）、Ｃ社製の感光体ドラムを使用している場合に適正となる補正値のテーブル（第３の補正値テーブル）の３種類のものが記憶部（ＲＯＭ５１）に記憶される。
【００７４】
また、感光体ドラム２１Ｋ，２１Ｍ，２１Ｃ，２１Ｙにおける感光体が３種類の素材Ａ，Ｂ，Ｃの何れかで形成されたものであるとしたとき、素材Ａの感光体ドラムを使用している場合に適正となる補正値のテーブル（第１の補正値テーブル）、素材Ｂの感光体ドラムを使用している場合に適正となる補正値のテーブル（第２の補正値テーブル）、素材Ｃの感光体ドラムを使用している場合に適正となる補正値のテーブル（第３の補正値テーブル）の３種類のものが記憶部（ＲＯＭ５１）に記憶される。
【００７５】
あるいは、感光体ドラム２１Ｋ，２１Ｍ，２１Ｃ，２１Ｙが同一の製造会社で製造された３つの製造ロットＡ，Ｂ，Ｃの何れかであるとしたとき、製造ロットＡの感光体ドラムを使用している場合に適正となる補正値のテーブル（第１の補正値テーブル）、製造ロットＢの感光体ドラムを使用している場合に適正となる補正値のテーブル（第２の補正値テーブル）、製造ロットＣの感光体ドラムを使用している場合に適正となる補正値のテーブル（第３の補正値テーブル）の３種類のものが記憶部（ＲＯＭ５１）に記憶される。
【００７６】
ここで、感光体ドラムには前記情報を保持する手段として読み出し用の端子が露設された半導体メモリやＲＦＩＤタグが搭載されており、かかる保持手段に保持されている情報（製造会社又は感光体を形成する素材又は同一の製造会社で製造された感光体の製造ロット）をＣＰＵ５０で読み出すことができる。但し、半導体メモリやＲＦＩＤタグから情報を読み出す具体的な構成については従来周知の技術で実現可能であるから詳細な説明を省略する。
【００７７】
そして、実際に印刷（画像形成）を行う際、ＣＰＵ５０の選択部が感光体ドラム２１Ｋ，２１Ｍ，２１Ｃ，２１Ｙから読み出した情報に基づいて最も適切な補正値テーブルを選択し、選択部によって選択された補正値テーブルを参照して、ＣＰＵ５０の補正値指示部が補正値データを決定し、決定した補正値データとイメージデータを露光器制御部３０Ｋに送出（指示）するので、感光体ドラム２１Ｋ，２１Ｍ，２１Ｃ，２１Ｙに関する種々の条件（製造会社又は感光体を形成する素材又は同一の製造会社で製造された感光体の製造ロット）の違いに応じて画像の濃度むらを抑制することができる。なお、製造会社や感光体を形成する素材、同一の製造会社で製造された感光体の製造ロット等の情報自体を感光体ドラムに保持させる代わりに、感光体ドラムに割り当てられた固有の識別符号（ＩＤ）を保持させ、ＣＰＵ５０が当該識別符号に基づいて製造会社や感光体を形成する素材、同一の製造会社で製造された感光体の製造ロット等の情報を取得するようにしても構わない。
【００７８】
（実施形態６）
本実施形態は、感光体ドラム２１の使用度あるいは露光器３０（ＬＥＤアレイ）の劣化度に基づいて複数種類の補正値テーブルのうちから最も適切な補正値テーブルを選択する点に特徴がある。
【００７９】
具体的には、ＣＰＵ５０において各感光体ドラム２１Ｋ，２１Ｍ，２１Ｃ，２１Ｙ毎の印刷枚数、あるいは各露光器３０Ｋ，３０Ｍ，３０Ｃ，３０Ｙ毎の印刷枚数をカウントとしておけば、当該印刷枚数によって感光体ドラム２１Ｋ，２１Ｍ，２１Ｃ，２１Ｙの使用度や露光器３０Ｋ，３０Ｍ，３０Ｃ，３０Ｙ（ＬＥＤアレイ）の劣化度を判定することができる。但し、感光体ドラム２１Ｋ，２１Ｍ，２１Ｃ，２１Ｙや露光器３０Ｋ，３０Ｍ，３０Ｃ，３０Ｙが交換された場合には、それぞれの印刷枚数のカウントを初期化する必要がある。
【００８０】
感光体ドラム２１の使用度については、例えば、印刷枚数が０枚から１万枚の範囲の感光体ドラムを使用している場合に適正となる補正値のテーブル（第１の補正値テーブル）、印刷枚数が１万枚から２万枚の範囲の感光体ドラムを使用している場合に適正となる補正値のテーブル（第２の補正値テーブル）、印刷枚数が２万枚以上の感光体ドラムを使用している場合に適正となる補正値のテーブル（第３の補正値テーブル）の３種類のものが記憶部（ＲＯＭ５１）に記憶される。
【００８１】
一方、露光器３０の劣化度については、例えば、印刷枚数が０枚から１０万枚の範囲の露光器を使用している場合に適正となる補正値のテーブル（第１の補正値テーブル）、印刷枚数が１０万枚から２０万枚の範囲の露光器を使用している場合に適正となる補正値のテーブル（第２の補正値テーブル）、印刷枚数が２０万枚以上の露光器を使用している場合に適正となる補正値のテーブル（第３の補正値テーブル）の３種類のものが記憶部（ＲＯＭ５１）に記憶される。
【００８２】
そして、実際に印刷（画像形成）を行う際、ＣＰＵ５０の選択部がその時点における印刷枚数から感光体ドラム２１の使用度や露光器３０の劣化度を判定し、かかる使用度又は劣化度に基づいて最も適切な補正値テーブルを選択し、選択部によって選択された補正値テーブルを参照して、ＣＰＵ５０の補正値指示部が補正値データを決定し、決定した補正値データとイメージデータを露光器制御部３０Ｋに送出（指示）するので、感光体ドラム２１の使用度や露光器３０の劣化度に応じて画像の濃度むらを抑制することができる。
【００８３】
（実施形態７）
ところで、ＬＥＤアレイとともにＬＥＤアレイの各ＬＥＤ素子に電流を流して駆動する駆動回路などをハウジングに収納することによって交換が可能なように構成された露光器３０が存在し、一般にＬＥＤプリントヘッドと呼ばれている。本実施形態では、露光器３０Ｋ，３０Ｍ，３０Ｃ，３０ＭがＬＥＤプリントヘッドとして構成されている場合において、複数種類の補正値テーブルを記憶した記憶部（ＲＯＭやＥＥＰＲＯＭなど）を駆動回路等とともにハウジングに収納し、当該記憶部に記憶した複数種類の補正値テーブルを制御部ＣＮに設けたＲＡＭ５２又は図示しない書換可能な不揮発性メモリ（例えば、ＥＥＰＲＯＭなど）に転送している点に特徴がある。
【００８４】
制御部ＣＮのＣＰＵ５０は、毎回の電源投入時若しくは露光器３０を交換した後の最初の電源投入時に露光器３０の記憶部からＲＡＭ５２又は図示しない不揮発性メモリへ補正値テーブルを転送し、転送後は既に説明したように選択部がＲＡＭ５２又は図示しない不揮発性メモリに記憶されている複数種類の補正値テーブルのうちから種々の条件に基づいて最も適切な補正値テーブルを選択することにより、他の実施形態と同様にして画像の濃度むらを抑制することができる。しかも、補正値テーブルを露光器３０の記憶部に記憶しておいて当該記憶部から制御部ＣＮの記憶部へ転送するようにしているので、露光器３０を交換した場合に制御部ＣＮの記憶部に記憶している補正値テーブルを更新する手間を省くことができるという利点がある。
【００８５】
また、実施形態１の階調幅や実施形態３，４の温湿度範囲あるいは実施形態６の使用度若しくは劣化度の範囲を規定する上限及び下限を補正値テーブルとともに露光器３０の記憶部に記憶しておいて制御部ＣＮに転送すれば、露光器３０を交換した時にこれらの範囲を変更する手間を省くことができるという利点がある。一方、これらの範囲を規定する上限及び下限を制御部ＣＮの記憶部に記憶しておけば、当該範囲（上限及び下限）を自由に変更することができるという利点がある。
【図面の簡単な説明】
【００８６】
【図１】実施形態における制御部の構成を示すブロック図である。
【図２】同上の全体構成図である。
【図３】実施形態１における補正値テーブルの具体例を示す図である。
【図４】同上の動作説明用のフローチャートである。
【図５】実施形態２の動作説明図である。
【符号の説明】
【００８７】
３０Ｋ，３０Ｍ，３０Ｃ，３０Ｙ  露光器
ＣＮ  制御部
５０  ＣＰＵ
５１  ＲＯＭ
５２  ＲＡＭ
５３  イメージデータ処理部
５４Ｋ，５４Ｍ，５４Ｃ，５４Ｙ  露光器制御部
【図１】
2009066832.tif 000003
【図２】
2009066832.tif 000004
【図３】
2009066832.tif 000005
【図４】
2009066832.tif 000006
【図５】
2009066832.tif 000007